(57)【要約】【課題】法面の緑化の一環として行われる法枠の中詰めを容易にすること。【解決手段】法枠（１２）が設置された法面（１０）の緑化のために行われる法枠の中詰め方法であって、法枠の升目（２０）内にこれを埋める１又は複数のブロック（１６）を嵌め込むことを含む。複数のブロック（１６）はこれらを複数段に積み重ねることができる。【選択図】図１
2006152659.tif 000002
【特許請求の範囲】
【請求項１】
法枠が設置された法面の緑化のために行われる前記法枠の中詰め方法であって、
前記法枠の升目内にこれを埋める１又は複数のブロックを嵌め込むことを含む、中詰め方法。
【請求項２】
前記複数のブロックを複数段に積み重ねることを含む、請求項１に記載の中詰め方法。
【請求項３】
さらに、複数のブロックを連結具で相互に連結することを含む、請求項１又は２に記載の方法。
【請求項４】
さらに、前記法枠と、該升目内のブロックとの間に１又は複数のくさび部材を打ちこむことを含む、請求項１又は２に記載の方法。
【請求項５】
前記ブロックは、発泡プラスチック材料、ウレタンフォーム材料、スポンジ材料、生分解性プラスチック材料、又は木材からなる、請求項１に記載の中詰め方法。
【発明の詳細な説明】
【技術分野】
【０００１】
本発明は、法枠が設置された法面の緑化のために行われる前記法枠の中詰め方法に関する。
【背景技術】
【０００２】
コンクリート製の法枠が設置された法面の緑化工においては、法枠上に、植生が根付く基盤である植生基盤を形成するに先立ち、法枠の升目内に客土のような充填物を充填すること（中詰め）が行われている。これによれば、升目内のみならずこれを規定する周囲部分（コンクリート部分）を含む法枠の表面の全部にこれを覆う植生基盤を配置することができ、これにより、植生による法枠の全表面の被覆が可能である。
【０００３】
ところで、法枠の中詰めに際しては、従来、特に急峻な法面上の法枠の升目内への充填物の充填を確保するため、予め升目内を上下に仕切る１又は複数の棚を作ることが提案されている（後記特許文献１参照）。
【０００４】
この提案に係る前記棚は、法枠内に水平に配置された丸太と、法面に打ち込まれ前記丸太を支えるアンカー筋やアンカーボルトのような複数のアンカー材とからなる。しかし、法面は岩盤からなることが多い。特に急峻な法面にあっては、岩盤の穿孔、その孔内へのアンカー材の挿入、前記孔内へのモルタル注入等の作業を伴うアンカー材の設置に労力と時間とを要し、また作業上の安全性に問題があった。
【特許文献１】特開平１０−１５２８５０号公報
【発明の開示】
【発明が解決しようとする課題】
【０００５】
本発明の目的は、法面の緑化の一環として行われる法枠の中詰めを容易にすることにある。
【課題を解決するための手段】
【０００６】
本発明は、法枠が設置された法面の緑化のために行われる前記法枠の中詰め方法であって、前記法枠の升目内にこれを埋める１又は複数のブロックを嵌め込むことを含む。前記複数のブロックはこれらを複数段に積み重ねることができる。
【０００７】
さらに、複数のブロックを連結具を用いて相互に連結し、また前記法枠と、その升目内のブロックとの間に１又は複数の楔材を打ちこむことができる。
【０００８】
前記ブロックは、例えば、発泡プラスチック材料、ウレタンフォーム材料、スポンジ材料、生分解性プラスチック材料、又は木材からなる。
【発明の効果】
【０００９】
本発明によれば、法枠の各升目内に１又は複数のブロックを嵌め込み、前記ブロックによって前記升目内を埋めることができることから、前記升目内を埋めるのに従来におけるアンカーの設置作業を必要とせず、またこれに伴う不安定な足場での作業を強いられることがない。このため、法枠の中詰めを比較的容易に行うことができる。
【００１０】
複数のブロックを複数段に積み重ねることによる法枠の中詰めは、特に、法枠の各升目が大きくかつ深い場合に有利である。前記升目内に嵌め込まれた複数のブロックを連結具を用いて相互に連結することにより、さらにはこれらのブロックと前記法枠との間に１又は複数の楔材を打ちこむことにより、前記升目への前記ブロックの定着又は固定を図ることができる。
【００１１】
前記ブロックについてこれを発泡プラスチック材料、ウレタンフォーム材料、スポンジ材料、木材等からなるものとするときは、比較的軽量であるため、前記ブロックの前記升目内までの運搬や該升目内への嵌め込み作業に要する労力及び時間をより軽減することができる。
【発明を実施するための最良の形態】
【００１２】
図１を参照すると、法面１０上に該法面の保護のための法枠１２が設置されている。
【００１３】
法面１０に沿って上下左右に伸びる法枠１２は、例えば鉄筋コンクリートにより形成され、図示の例では全体に格子状を呈する。法枠１２の前記格子が規定する各空間である各升目１４の内部にはこれを埋める複数のブロック１６が嵌め込まれる。升目１４内のブロック１６の頂面と、升目１４を規定する周囲部１８の頂面とは同一面上又はほぼ同一面上にある。
【００１４】
複数のブロック１６による各升目１４内の充填は、次のようにして行うことができる。
【００１５】
好ましくは、先ず、升目１４内を清掃し、升目１４内に存する異物を取り除く。また、升目１４内を規定する法面１０の一部すなわち底版部２０をできるだけ平坦にする。
【００１６】
次に、複数のブロック１６を升目１４内に運び込み、これらを底版部２０上に互いに接するように並べ、嵌め込む。これにより、升目１４内を複数のブロック１６で埋める。このために、図示の例では、ブロック１６は、升目１４の深さ寸法とほぼ同じ高さ寸法と、升目１４の表面を等分割して得られる矩形の縦及び横の長さ寸法と同一の縦及び横の長さ寸法とを有し、全体に直方体形状を呈する。ブロック１６は、その運搬重量、持ち易さ、升目１４内への設置のし易さ等を考慮して、升目１４の大きさに合わせた任意の大きさに定めることができる。
【００１７】
図示の例に代えて、他の複数のブロックを升目１４内に多段に重ねて、例えば２段重ねにして嵌め込み、配置することにより、升目１４を埋めてもよい。
【００１８】
この多段配置の例は、特に、升目１４の深さ寸法、又は升目１４の縦横の長さ寸法が比較的大きい場合に適用し、これにより、前記ブロックをその運搬、設置等により適する大きさのものとすることができる。また、逆に、升目１４の大きさが比較的小さい場合には、その大きさにほぼ等しい大きさを有する単一のブロックとすることができる。
【００１９】
さらに、法面１０が湾曲しているためにこれに従って法枠１２が湾曲している場合にあっては、升目１４内に設置されるブロック１６の頂面又は最上段に位置するブロックの頂面を、平坦面とする図示の例に代えて、法面１０に合わせて湾曲する湾曲面に設定することができる。
【００２０】
ブロック１６は、好ましくは、例えば発泡スチロールような発泡プラスチック材、ウレタンフォーム材料、ウレタン製やゴム製のスポンジ材料、生分解性プラスチック材料、木材（好ましくは、多数の木材チップを圧縮成形して得られたもの）等からなるものを使用する。これらは比較的軽量であり、その取り扱いが容易である。
【００２１】
１の升目１４内又は全升目１４内へのブロック１６の配置後、法面１０の傾斜度の大きさ、ブロック１６の大きさやその重量等を考慮して、升目１４内の隣接する２つのブロック１６同士を例えばアイゼンやかすがいのような適当な部品（図示せず）を用いて連結し、あるいは、１又は複数のブロック１６と法枠１２の周囲部１８との間に一又は複数のくさび部材（図示せず）を押し込むことにより、法枠１２に対してブロック１６を定着もしくは固定し、又は法枠１２に対する前記嵌め込みによる定着若しくは固定の程度をより強化することができる。これらの１以上の処理により、法枠１２に対するブロック１６の一体性をより高めることができる。
【００２２】
前記ブロックの設置により、法枠１２の表面上に法面１０と平行な、又は法面１０に沿って伸びる斜面を得ることができる。
【００２３】
このようにして得られた斜面上に、これを覆う１又は複数の金網２２を設置し、該金網上に植物生育基盤２４を形成することができ、これにより、法枠１２が設けられた法面１０の緑化工を終了する。
【００２４】
植物生育基盤２４は、法枠の升目１４、より詳細には升目１４を埋める１又は複数のブロック１６の表面のみならず、法枠の周囲部１８の表面をも覆っているため、植物生育基盤２４に根付く植物により法枠１２の全表面を覆い尽くすことができ、これにより、より良好な法面１０の緑化を図ることができる。
【００２５】
なお、植物生育基盤２４は、例えば、土、木材のチップ、植物の種子、肥料等を含む混合物を金網２２上に散布することにより層状に形成することができる。
【図面の簡単な説明】
【００２６】
【図１】法面上に配置された法枠及びその升目内に配置されたブロックとを示す斜視図である。
【符号の説明】
【００２７】
１０  法面
１２  法枠
１４  升目
１６  ブロック
【図１】
2006152659.tif 000003